(57)【要約】【課題】ＤＶＤプレーヤなどの外部機器がテレビジョン受像機に接続されたＡＶシステムにおいて、ユーザビリティーを高める。【解決手段】リモコンコード判定部９は、リモコン受光部６によって受信されたリモコンコードが、リモコンコード記憶部１０に記憶された外部機器４用のリモコンコードに該当するか否かを判定する。リモコン受光部６によって受信されたリモコンコードが、リモコンコード記憶部１０に記憶された外部機器４用のリモコンコードに該当する場合、Ａ／Ｖ入力選択部１２は、テレビジョン受像機２の入力を外部機器４用の外部入力に切り替える。これにより、外部機器４の操作に応じてテレビジョン受像機２を動作させるときに、外部機器４用のリモコンコードを利用してテレビジョン受像機２の入力切替を行うことができる。その結果、ユーザの操作手順が大幅に簡略化され、ユーザビリティーが高まる。【選択図】図１
2008104035.tif 000002
【特許請求の範囲】
【請求項１】
少なくとも１つの外部信号入力を有するリモートコントロール可能な表示装置において、
リモコンコードを受信するリモコンコード受信手段と、
少なくとも外部機器制御用のリモコンコードを記憶するリモコンコード記憶手段と、
前記リモコンコード受信手段によって受信されたリモコンコードが前記リモコンコード記憶手段に記憶された外部機器制御用のリモコンコードに該当するか否かを判定するリモコンコード判定手段と、
前記リモコンコード受信手段によって受信されたリモコンコードが前記リモコンコード記憶手段に記憶された外部機器制御用のリモコンコードに該当する場合に、該外部機器からの外部信号入力を該外部機器制御用のリモコンコード内容に従って制御する制御手段と
を有することを特徴とする表示装置。
【請求項２】
前記外部機器制御用のリモコンコード内容が信号入力の停止である場合に、外部信号入力を停止して内部入力に戻す入力戻し手段が設けられていることを特徴とする請求項１に記載の表示装置。
【請求項３】
前記外部機器制御用のリモコンコードを前記リモコンコード記憶手段に記憶するときに、当該記憶内容を制御内容に関連付けて表示する登録確認手段が設けられていることを特徴とする請求項１または２に記載の表示装置。
【請求項４】
前記外部機器制御用のリモコンコードを前記リモコンコード記憶手段に記憶する機能は、メニュー画面にて要否の選択が可能であることを特徴とする請求項１乃至３のいずれかに記載の表示装置。
【請求項５】
前記外部機器制御用のリモコンコードを前記リモコンコード記憶手段に記憶する機能を「要」に設定した場合に、外部入力選択時の初回に限ってリモコンコード記憶メニュー画面を同時に表示することを特徴とする請求項４に記載の表示装置。
【請求項６】
請求項１乃至５のいずれかに記載の表示装置と、この表示装置にリモコンコードを送信する外部機器リモコンとを具備することを特徴とするＡＶシステム。
【請求項７】
少なくとも１つの外部信号入力を有するリモートコントロール可能な表示装置の入力切替方法において、
リモコンコードを受信するリモコンコード受信工程と、
外部機器制御用のリモコンコードを記憶するリモコンコード記憶工程と、
前記受信されたリモコンコードが前記記憶された外部機器制御用のリモコンコードに該当するか否かを判定するリモコンコード判定工程と、
前記受信されたリモコンコードが前記記憶された外部機器制御用のリモコンコードに該当する場合に、該外部機器からの外部信号入力を該外部機器制御用のリモコンコード内容に従って制御する制御工程と
が含まれることを特徴とする入力切替方法。
【請求項８】
前記外部機器制御用のリモコンコード内容が信号入力の停止である場合に、外部信号入力を停止して前記表示装置の内部入力に戻す入力戻し工程が含まれることを特徴とする請求項７に記載の入力切替方法。
【請求項９】
前記外部機器制御用のリモコンコードを記憶するときに、当該記憶内容を制御内容に関連付けて表示する登録確認工程が含まれることを特徴とする請求項７または８に記載の入力切替方法。
【請求項１０】
前記外部機器制御用のリモコンコードを記憶する機能は、メニュー画面にて要否の選択が行われることを特徴とする請求項７乃至９のいずれかに記載の入力切替方法。
【請求項１１】
前記外部機器制御用のリモコンコードを記憶する機能を「要」に設定した場合に、前記表示装置の外部入力選択時の初回に限ってリモコンコード記憶メニュー画面を同時に表示することを特徴とする請求項１０に記載の入力切替方法。
【発明の詳細な説明】
【技術分野】
【０００１】
本発明は、例えば、ＤＶＤ（Digital Versatile Disc）プレーヤ、ＶＴＲ（ビデオテープレコーダ）、ＨＤＤビデオレコーダ、ＡＶアンプなどの外部機器がテレビジョン受像機に接続されたＡＶシステムに関するものである。
【背景技術】
【０００２】
従来、この種のＡＶシステムにおいて外部機器を使用するとき（例えば、ＤＶＤやビデオを視聴するときや、ＡＶアンプの音場設定を一時的に変更するとき）には、ユーザ（視聴者）が、ＴＶリモコンでテレビジョン受像機の入力を外部入力に切り替えた後、外部機器リモコンで外部機器を動作させていた。ところが、これでは、ユーザが、ＴＶリモコンを操作した後、外部機器リモコンに持ち替えて操作する必要があるので、ユーザの操作手順が複雑になる。
【０００３】
このような不都合を解消するため、外部機器のリモコンコードをＴＶリモコンに学習させるか、逆に、テレビジョン受像機のリモコンコードを外部機器リモコンに学習させて、いずれか１つのリモコンで操作することが考えられる。しかし、この場合、外部機器の表示へダイレクトに切り替わらないばかりか、学習機能に制限があるので、実用性に乏しい。
【０００４】
また、テレビジョン受像機と外部機器とをコントロールケーブルで接続することにより、外部機器の操作に連動してテレビジョン受像機の画面を切り替えることが考えられる。しかし、この場合、コントロールケーブルはメーカーや機種に制限があるため、汎用性に乏しい。
【０００５】
そこで、テレビジョン受像機が特定のデータ信号を受信すると、予め設定された動作を行うように制御する技術が提案されていた（例えば、特許文献１参照）。
【特許文献１】特開２００２−３２０１０８号公報（段落〔００１２〕〔００６８〕の欄）
【発明の開示】
【発明が解決しようとする課題】
【０００６】
しかしながら、近年、テレビジョン受像機に多数の外部機器を接続して使用する場合が増えていることから、外部機器を使用するときのユーザの操作手順をますます簡略化してユーザビリティーを高めることが強く望まれていた。
【０００７】
本発明は、こうした要望に応えることが可能な、表示装置、ＡＶシステム、入力切替方法を提供することを目的とする。
【課題を解決するための手段】
【０００８】
本発明に係る表示装置では、少なくとも１つの外部信号入力を有するリモートコントロール可能な表示装置において、リモコンコードを受信するリモコンコード受信手段と、少なくとも外部機器制御用のリモコンコードを記憶するリモコンコード記憶手段と、前記リモコンコード受信手段によって受信されたリモコンコードが前記リモコンコード記憶手段に記憶されたリモコンコードに該当するか否かを判定するリモコンコード判定手段と、前記リモコンコード受信手段によって受信されたリモコンコードが前記リモコンコード記憶手段に記憶された外部機器制御用のリモコンコードに該当する場合に、該外部機器からの外部信号入力を該外部機器制御用のリモコンコード内容に従って制御する制御手段とを有することを特徴とする。
本発明に係る表示装置では、前記外部機器制御用のリモコンコード内容が信号入力の停止である場合に、外部信号入力を停止して内部入力に戻す入力戻し手段が設けられていることを特徴とする。
本発明に係る表示装置では、前記外部機器制御用のリモコンコードを前記リモコンコード記憶手段に記憶するときに、当該記憶内容を制御内容に関連付けて表示する登録確認手段が設けられていることを特徴とする。
本発明に係る表示装置では、前記外部機器制御用のリモコンコードを前記リモコンコード記憶手段に記憶する機能は、メニュー画面にて要否の選択が可能であることを特徴とする。
本発明に係る表示装置では、前記外部機器制御用のリモコンコードを前記リモコンコード記憶手段に記憶する機能を「要」に設定した場合に、外部入力選択時の初回に限ってリモコンコード記憶メニュー画面を同時に表示することを特徴とする。
また、本発明に係るＡＶシステムでは、上記表示装置と、この表示装置にリモコンコードを送信する外部機器リモコンとを具備することを特徴とする。
また、本発明に係る入力切替方法では、少なくとも１つの外部信号入力を有するリモートコントロール可能な表示装置の入力切替方法において、リモコンコードを受信するリモコンコード受信工程と、外部機器制御用のリモコンコードを記憶するリモコンコード記憶工程と、前記受信されたリモコンコードが前記記憶された外部機器制御用のリモコンコードに該当するか否かを判定するリモコンコード判定工程と、前記受信されたリモコンコードが前記記憶された外部機器制御用のリモコンコードに該当する場合に、該外部機器からの外部信号入力を該外部機器制御用のリモコンコード内容に従って制御する制御工程とが含まれることを特徴とする。
また、本発明に係る入力切替方法では、前記外部機器制御用のリモコンコード内容が信号入力の停止である場合に、外部信号入力を停止して前記表示装置の内部入力に戻す入力戻し工程が含まれることを特徴とする。
また、本発明に係る入力切替方法では、前記外部機器制御用のリモコンコードを記憶するときに、当該記憶内容を制御内容に関連付けて表示する登録確認工程が含まれることを特徴とする。
また、本発明に係る入力切替方法では、前記外部機器制御用のリモコンコードを記憶する機能は、メニュー画面にて要否の選択が行われることを特徴とする。
また、本発明に係る入力切替方法では、前記外部機器制御用のリモコンコードを記憶する機能を「要」に設定した場合に、前記表示装置の外部入力選択時の初回に限ってリモコンコード記憶メニュー画面を同時に表示することを特徴とする。
【発明の効果】
【０００９】
本発明によれば、外部機器の操作に応じて表示装置を動作させるときに、外部機器用のリモコンコードを利用して表示装置の入力切替が行われることから、ユーザの操作手順を大幅に簡略化してユーザビリティーを高めることができる。
【発明を実施するための最良の形態】
【００１０】
以下、本発明の実施形態を図面に基づいて説明する。
【００１１】
図１は本発明に係るＡＶシステムの一実施形態を示すブロック図である。
図２から図１１は外部機器をＤＶＤとして説明する図で、図２はＤＶＤプレーヤの接続状態を示す模式図、図３はリモコンキーラベル画面を示す図、図４はリモコンキー登録画面を示す図、図５はリモコンキー登録画面を示す図、図６は表示モード設定画面を示す図、図７はリモコンキーラベル画面を示す図、図８はリモコンキー登録画面を示す図、図９はリモコンキー登録画面を示す図、図１０は登録確認画面を示す図、図１１はＤＶＤプレーヤの操作フローを示す図である。
図１２はリモコンコード判定プログラムを示すフローチャートである。
図１３から図２２は外部機器をＡＶアンプとして説明する図で、図１３はＡＶアンプの接続状態を示す模式図、図１４はリモコンキーラベル画面を示す図、図１５はリモコンキー登録画面を示す図、図１６はリモコンキー登録画面を示す図、図１７は表示モード設定画面を示す図、図１８はリモコンキーラベル画面を示す図、図１９はリモコンキー登録画面を示す図、図２０はリモコンキー登録画面を示す図、図２１は登録確認画面を示す図、図２２はＡＶアンプの操作フローを示す図である。
【００１２】
ＡＶシステム１は、図１に示すように、テレビジョン受像機２と、このテレビジョン受像機２を遠隔操作するＴＶリモコン３と、テレビジョン受像機２に接続された複数個の外部機器４と、各外部機器４を遠隔操作する外部機器リモコン５とを具備している。そして、テレビジョン受像機２は、入力切替装置１４、ディスプレイ１６、スピーカ１７を備えている。さらに、入力切替装置１４は、ＣＰＵ（中央演算処理装置）８、リモコン受光部６、ユーザＩ／Ｆ操作部７、リモコンコード判定部９、フラッシュメモリなどのリモコンコード記憶部１０、ＴＶチューナ制御部１１、Ａ／Ｖ入力選択部１２、Ａ／Ｖ出力制御部１５から構成されている。
【００１３】
ここで、リモコン受光部６は、ＴＶリモコン３および外部機器リモコン５から送信された信号を受信し、リモコンコード判定部９に出力する機能を備えている。また、リモコンコード記憶部１０には、ＴＶリモコン３用のリモコンコードが予め登録されている。また、ＴＶチューナ制御部１１は、ユーザＩ／Ｆ操作部７からの指示に基づき、Ａ／Ｖ出力制御部１５に映像情報および音声情報を送出する機能を備えている。また、Ａ／Ｖ入力選択部１２には複数個の外部入力端子（第１の外部入力端子「INPUT1」、第２の外部入力端子「INPUT2」、…）が取り付けられており、これらの外部入力端子には外部機器４を接続することができる。そして、Ａ／Ｖ入力選択部１２は、ユーザＩ／Ｆ操作部７からの指示に基づき、これらの外部入力端子から任意の外部入力端子を選んで有効にする機能を備えている。さらに、Ａ／Ｖ出力制御部１５は、ユーザＩ／Ｆ操作部７、ＴＶチューナ制御部１１およびＡ／Ｖ入力選択部１２からの指示に基づき、ディスプレイ１６に映像情報を送出するとともに、スピーカ１７に音声情報を送出する機能を備えている。
【００１４】
ＡＶシステム１は以上のような構成を有するので、例えばテレビジョン受像機２で外部機器リモコン５（ＤＶＤ用リモコン）の操作でＤＶＤを視聴するときには、それに先立ち、ＤＶＤプレーヤを操作する外部機器リモコン５（ＤＶＤ用リモコン）用のリモコンコードをテレビジョン受像機２に記憶して登録する必要がある。このように登録することで、例えば、この外部機器リモコン５（ＤＶＤ用リモコン）の「再生」ボタンが押されると、テレビジョン受像機２の入力がＡ／Ｖ入力選択部１２の第１の外部入力端子「INPUT1」に切り替わり、ディスプレイ１６の全画面にＤＶＤ映像が表示されるようになり、この外部機器リモコン５（ＤＶＤ用リモコン）の「停止」ボタンが押されると、テレビジョン受像機２の入力が内部入力（テレビ入力）に戻り、ディスプレイ１６の表示がテレビ映像に戻ることになる。
【００１５】
以下、この登録の手順について説明する。ユーザ（視聴者）は、図２に示すように、外部機器４としてＤＶＤプレーヤ４１をテレビジョン受像機２の第１の外部入力端子「INPUT1」に接続した後、ＴＶリモコン３を操作してディスプレイ１６に登録メニューを表示させる。なお、外部機器制御用のリモコンコードをテレビジョン受像機のリモコンコード記憶部１０に記憶する機能は、メニュー画面にてユーザ（視聴者）によって「要否」の選択が可能となっている。また、この機能を「要」に設定した場合に、表示装置の外部入力選択時の初回に限ってリモコンコード記憶メニュー画面を同時に表示することで、使い勝手の向上をはかることが可能となる。
【００１６】
次に、ユーザは、ＤＶＤ再生動作を登録するため、図３に示すように、リモコンキーラベル画面Ｄ１において、「再生」ボタンを選択してクリックする。すると、図４に示すように、リモコンキー登録画面Ｄ２に移行するので、このリモコンキー登録画面Ｄ２で「登録開始」ボタンをクリックする。その結果、図５に示すように、ＤＶＤ再生コードが検出されてリモコンコード記憶部１０に登録される。次に、図６に示すように、表示モード設定画面Ｄ３において、「全画面表示」ボタンを選択してクリックする。これで、ＤＶＤプレーヤ４１用の外部機器リモコン５（ＤＶＤ用リモコン）の「再生」ボタンが押されると、テレビジョン受像機２の入力を第１の外部入力端子「INPUT1」に切り替え、ディスプレイ１６の全画面にＤＶＤ映像を表示するように設定されたことになる。
【００１７】
また、ユーザは、ＤＶＤ停止動作を登録するため、図７に示すように、リモコンキーラベル画面Ｄ１において、「停止」ボタンを選択してクリックする。すると、図８に示すように、リモコンキー登録画面Ｄ２に移行するので、このリモコンキー登録画面Ｄ２で「登録開始」ボタンをクリックする。その結果、図９に示すように、ＤＶＤ停止コードが検出されてリモコンコード記憶部１０に登録される。これで、ＤＶＤプレーヤ４１用の外部機器リモコン５の「停止」ボタンが押されると、テレビジョン受像機２の入力を内部入力（テレビ入力）に戻し、ディスプレイ１６の表示をテレビ映像に戻すように設定されたことになる。
【００１８】
そして、テレビジョン受像機２のＡ／Ｖ出力制御部１５は、図１０に示すように、この登録内容をディスプレイ１６に登録確認画面Ｄ４として表示するので、ユーザは、この登録内容に間違いがなければ、登録確認画面Ｄ４上の「確認」ボタンをクリックする。これで、外部機器リモコン５（ＤＶＤ用リモコン）用のリモコンコードの登録が終了し、ＤＶＤを視聴する準備が完了した状態となる。
【００１９】
このようにして設定されたＤＶＤ用リモコンの操作と動作に関し、図１１のフロー図とともに説明する。まず、ＴＶリモコン３の電源ボタンを押してテレビジョン受像機２の電源をＯＮする（ステップＤＳ１）。ディスプレイ１６にはテレビ放送の画面表示とともに、スピーカ１７からテレビ放送の音声が出力される（ステップＤＳ２）。
【００２０】
次いで、ユーザは、外部機器リモコン５（ＤＶＤ用リモコン）の電源ボタンを押してＤＶＤプレーヤ４１の電源をＯＮした後（ステップＤＳ３）、外部機器リモコン５（ＤＶＤ用リモコン）の「再生」ボタンを押してＤＶＤプレーヤ４１の再生を開始する（ステップＤＳ４）。「再生」ボタン操作に連動して、テレビジョン受像機２の入力がＤＶＤプレーヤ４１用の外部入力に切り替わる（ステップＤＳ５）。
【００２１】
すなわち、外部機器リモコン５（ＤＶＤ用リモコン）の「再生」ボタンが押されると、テレビジョン受像機２のＣＰＵ８は、リモコンコード判定部９に対してリモコンコードの判定処理を指令する。これを受けてリモコンコード判定部９は、以下に述べるとおり、図１２に示すリモコンコード判定プログラムＰＲＧに基づき、リモコンコードの判定処理を実行する。
【００２２】
リモコンコードの判定処理は、まず、外部機器リモコン５（ＤＶＤ用リモコン）から送信されたリモコンコードをリモコン受光部６が受信すると（ステップＳ１）、リモコンコード判定部９は、ＴＶリモコン３用のリモコンコードをリモコンコード記憶部１０から読み出した後、リモコン受光部６が受信したリモコンコードをこのＴＶリモコン３用のリモコンコードと比較し（ステップＳ２）、リモコン受光部６が受信したリモコンコードがＴＶリモコン３用のリモコンコードに該当するか否かを判定する（ステップＳ３）。
【００２３】
ここでは、リモコン受光部６が受信したリモコンコードはＴＶリモコン３用のリモコンコードに該当しないため、リモコンコード判定部９は、外部機器リモコン５（ＤＶＤ用リモコン）用のリモコンコードをリモコンコード記憶部１０から読み出した後、リモコン受光部６が受信したリモコンコードをこの外部機器リモコン５（ＤＶＤ用リモコン）用のリモコンコードと比較し（ステップＳ５）、リモコン受光部６が受信したリモコンコードが外部機器リモコン５（ＤＶＤ用リモコン）用のリモコンコードに該当するか否かを判定する（ステップＳ６）。
【００２４】
その結果、リモコン受光部６が受信したリモコンコードは外部機器リモコン５（ＤＶＤ用リモコン）用のリモコンコードに該当するので、リモコンコード判定部９は、この外部機器リモコン（ＤＶＤ用リモコン）５用のリモコンコードから外部入力信号の入力経路を求める（ステップＳ７）。ここでは、外部機器リモコン５（ＤＶＤ用リモコン）の「再生」ボタンが押されたので、上述したように、入力経路は「INPUT1」となる。
【００２５】
次いで、リモコンコード判定部９は、入力切替時の表示モードを決める（ステップＳ８）。ここでは、外部機器リモコン５（ＤＶＤ用リモコン）の「再生」ボタンが押されたので、上述したように、表示モードは「全画面表示」となる。
【００２６】
リモコンコード判定部９は、ユーザＩ／Ｆ操作部７に入力切替要求信号を送信する（ステップＳ９）。これを受けてユーザＩ／Ｆ操作部７は、Ａ／Ｖ入力選択部１２に対して入力切替を指令し、テレビジョン受像機２の入力をＤＶＤプレーヤ４１用の外部入力に切り替える。その結果、第１の外部入力端子「INPUT1」が有効になるので、ディスプレイ１６の表示がＤＶＤ映像に切り替わる。
【００２７】
ここで、リモコンコード判定プログラムＰＲＧに基づくリモコンコードの判定処理が終了する。
【００２８】
このように、ユーザが外部機器リモコン５（ＤＶＤ用リモコン）の「再生」ボタンを押すと、テレビジョン受像機２の入力がＤＶＤプレーヤ４１用の外部入力に切り替わるので、ユーザはテレビジョン受像機２でＤＶＤを視聴することができる（ステップＤＳ６）。このように、外部入力を選択する際に、わざわざＴＶリモコン３を操作して入力切替動作を行う必要がないので、ユーザの操作手順が簡単になり、ユーザビリティーが向上する。
【００２９】
また、ＤＶＤの視聴を終了するときには、ユーザは、外部機器リモコン５（ＤＶＤ用リモコン）の「停止」ボタンを押してＤＶＤプレーヤ４１の再生を停止する（ステップＤＳ７）。すると、これに連動して、テレビジョン受像機２の入力がテレビ放送用の内部入力に切り替わる（ステップＤＳ８）。
【００３０】
すなわち、外部機器リモコン５（ＤＶＤ用リモコン）の「停止」ボタンが押されると、テレビジョン受像機２のＣＰＵ８は、リモコンコード判定部９に対してリモコンコードの判定処理を指令する。これを受けてリモコンコード判定部９は、以下に述べるとおり、図１２に示すリモコンコード判定プログラムＰＲＧに基づき、リモコンコードの判定処理を実行する。
【００３１】
まず、外部機器リモコン５（ＤＶＤ用リモコン）から送信されたリモコンコードをリモコン受光部６が受信すると（ステップＳ１）、リモコンコード判定部９は、ＴＶリモコン３用のリモコンコードをリモコンコード記憶部１０から読み出した後、リモコン受光部６が受信したリモコンコードをこのＴＶリモコン３用のリモコンコードと比較し（ステップＳ２）、リモコン受光部６が受信したリモコンコードがＴＶリモコン３用のリモコンコードに該当するか否かを判定する（ステップＳ３）。
【００３２】
ここでは、リモコン受光部６が受信したリモコンコードはＴＶリモコン３用のリモコンコードに該当しないため、リモコンコード判定部９は、外部機器リモコン５（ＤＶＤ用リモコン）用のリモコンコードをリモコンコード記憶部１０から読み出した後、リモコン受光部６が受信したリモコンコードをこの外部機器リモコン５（ＤＶＤ用リモコン）用のリモコンコードと比較し（ステップＳ５）、リモコン受光部６が受信したリモコンコードが外部機器リモコン５（ＤＶＤ用リモコン）用のリモコンコードに該当するか否かを判定する。（ステップＳ６）
【００３３】
その結果、リモコン受光部６が受信したリモコンコードは外部機器リモコン５（ＤＶＤ用リモコン）用のリモコンコードに該当するので、リモコンコード判定部９は、この外部機器リモコン５（ＤＶＤ用リモコン）用のリモコンコードから入力経路を求める（ステップＳ７）。ここでは、外部機器リモコン５（ＤＶＤ用リモコン）の「停止」ボタンが押されたので、上述したように、入力経路は「内部入力」となる。
【００３４】
次いで、リモコンコード判定部９は、入力切替時の表示モードを決める（ステップＳ８）。ここでは、外部機器リモコン５の「停止」ボタンが押されたので、表示モードは「全画面表示」のままとなる。
【００３５】
最後に、リモコンコード判定部９は、ユーザＩ／Ｆ操作部７に入力切替要求信号を送信する（ステップＳ９）。これを受けてユーザＩ／Ｆ操作部７は、Ａ／Ｖ入力選択部１２に対して入力切替を指令する。すると、Ａ／Ｖ入力選択部１２は、テレビジョン受像機２の入力を内部入力（テレビ入力）に戻す。その結果、内部入力が有効になるので、ディスプレイ１６の表示がテレビ映像に戻る。
【００３６】
ここで、リモコンコード判定プログラムＰＲＧに基づくリモコンコードの判定処理が終了する。
【００３７】
このように、ユーザが外部機器リモコン５（ＤＶＤ用リモコン）の「停止」ボタンを押すと、テレビジョン受像機２の入力がテレビ放送用の内部入力に切り替わるので、ユーザはテレビジョン受像機２でテレビ放送番組を視聴することができる（ステップＤＳ９）。このときも、わざわざＴＶリモコン３を操作して入力切替動作を行う必要がないので、ユーザの操作手順が簡単になり、ユーザビリティーが向上する。
【００３８】
なお、ＴＶリモコン３を使ってテレビジョン受像機２を操作した場合、リモコン受光部６が受信したリモコンコードはＴＶリモコン３用のリモコンコードに該当するため、図１２に示すように、リモコンコード判定プログラムＰＲＧのステップＳ３からステップＳ４に移行し、リモコンコード判定部９は、このリモコンコードをユーザＩ／Ｆ操作部７に送信する。これを受けてユーザＩ／Ｆ操作部７は、Ａ／Ｖ入力選択部１２に対して入力切替を指令する。すると、Ａ／Ｖ入力選択部１２は、内部入力（テレビ入力）を有効にする。ここで、リモコンコード判定プログラムＰＲＧに基づくリモコンコードの判定処理が終了する。
【００３９】
また、テレビ番組の視聴中にＡＶアンプの音場を調整するときには、それに先立ち、ＡＶアンプを操作する外部機器リモコン５（ＡＶアンプ用リモコン）用のリモコンコードをテレビジョン受像機２に記憶して登録する。すなわち、例えば、この外部機器リモコン５（ＡＶアンプ用リモコン）の「音場設定開始」ボタンが押されると、テレビジョン受像機２の入力がＡ／Ｖ入力選択部１２の第２の外部入力端子「INPUT2」に切り替わり、ディスプレイ１６に音場設定用の子画面が表示されるように設定する。また、この外部機器リモコン５（ＡＶアンプ用リモコン）の「音場設定終了」ボタンが押されると、テレビジョン受像機２の入力が内部入力（テレビ入力）に戻り、ディスプレイ１６の表示がテレビ映像に戻るように設定する。
【００４０】
それには、ユーザは、図１３に示すように、外部機器４としてＡＶアンプ４２をテレビジョン受像機２の第２の外部入力端子「INPUT2」に接続するとともに、ＡＶアンプ４２にスピーカ４３を接続した後、ＴＶリモコン３を操作してディスプレイ１６に登録メニューを表示させる。
【００４１】
そして、ユーザは、音場設定への切換動作を登録するため、図１４に示すように、リモコンキーラベル画面Ｄ１において、「メニュー」ボタンを選択してクリックする。すると、図１５に示すように、リモコンキー登録画面Ｄ２に移行するので、このリモコンキー登録画面Ｄ２で「登録開始」ボタンをクリックする。その結果、図１６に示すように、音場設定開始コードが検出されてリモコンコード記憶部１０に登録される。次に、図１７に示すように、表示モード設定画面Ｄ３において、「子画面表示」ボタンを選択してクリックする。これで、ＡＶアンプ４２用の外部機器リモコン５（ＡＶアンプ用リモコン）の「音場設定開始」ボタンが押されると、テレビジョン受像機２の入力を第２の外部入力端子「INPUT2」に切り替え、ディスプレイ１６に音場設定用の子画面を表示するように設定されたことになる。
【００４２】
また、ユーザは、音場設定からの戻り動作を登録するため、図１８に示すように、リモコンキーラベル画面Ｄ１において、「メニュー」ボタンを選択してクリックする。すると、図１９に示すように、リモコンキー登録画面Ｄ２に移行するので、このリモコンキー登録画面Ｄ２で「登録開始」ボタンをクリックする。その結果、図２０に示すように、音場設定終了コードが検出されてリモコンコード記憶部１０に登録される。これで、ＡＶアンプ４２用の外部機器リモコン５（ＡＶアンプ用リモコン）の「音場設定終了」ボタンが押されると、テレビジョン受像機２の入力を内部入力（テレビ入力）に戻し、ディスプレイ１６の表示をテレビ映像に戻すように設定されたことになる。
【００４３】
そして、テレビジョン受像機２のＡ／Ｖ出力制御部１５は、図２１に示すように、この登録内容をディスプレイ１６に登録確認画面Ｄ４として表示するので、ユーザは、この登録内容に間違いがなければ、登録確認画面Ｄ４上の「確認」ボタンをクリックする。これで、外部機器リモコン５（ＡＶアンプ用リモコン）用のリモコンコードの登録が終了し、ＡＶアンプ４２の音場設定を行う準備が完了した状態となる。
【００４４】
このようにして設定されたＡＶアンプ用リモコンの操作と動作に関し、図２２のフロー図とともに説明する。まず、ＴＶリモコン３の電源ボタンを押してテレビジョン受像機２の電源をＯＮする（ステップＡＳ１）。すると、ディスプレイ１６にテレビ放送の画面が表示されるとともに、スピーカ１７からテレビ放送の音声が出力される（ステップＡＳ２）。
【００４５】
次いで、ユーザは、外部機器リモコン５（ＡＶアンプ用リモコン）の電源ボタンを押してＡＶアンプ４２の電源をＯＮする（ステップＡＳ３）。すると、ＡＶアンプ４２に接続されたスピーカ４３からテレビ放送の音声が出力される（ステップＡＳ４）。
【００４６】
さらに、ユーザは、外部機器リモコン５（ＡＶアンプ用リモコン）の「メニュー」ボタンを押す（ステップＡＳ５）。すると、これに連動して、テレビジョン受像機２の入力がＡＶアンプ４２用の外部入力に切り替わる（ステップＡＳ６）。
【００４７】
すなわち、外部機器リモコン５（ＡＶアンプ用リモコン）の「メニュー」ボタンが押されると、テレビジョン受像機２のＣＰＵ８は、リモコンコード判定部９に対してリモコンコードの判定処理を指令する。これを受けてリモコンコード判定部９は、以下に述べるとおり、図１２に示すリモコンコード判定プログラムＰＲＧに基づき、リモコンコードの判定処理を実行する。
【００４８】
まず、外部機器リモコン５（ＡＶアンプ用リモコン）から送信されたリモコンコードをリモコン受光部６が受信すると（ステップＳ１）、リモコンコード判定部９は、ＴＶリモコン３用のリモコンコードをリモコンコード記憶部１０から読み出した後、リモコン受光部６が受信したリモコンコードをこのＴＶリモコン３用のリモコンコードと比較し（ステップＳ２）、リモコン受光部６が受信したリモコンコードがＴＶリモコン３用のリモコンコードに該当するか否かを判定する（ステップＳ３）。
【００４９】
ここでは、リモコン受光部６が受信したリモコンコードはＴＶリモコン３用のリモコンコードに該当しないため、リモコンコード判定部９は、外部機器リモコン５（ＡＶアンプ用リモコン）用のリモコンコードをリモコンコード記憶部１０から読み出した後、リモコン受光部６が受信したリモコンコードをこの外部機器リモコン５（ＡＶアンプ用リモコン）用のリモコンコードと比較し（ステップＳ５）、リモコン受光部６が受信したリモコンコードが外部機器リモコン５（ＡＶアンプ用リモコン）用のリモコンコードに該当するか否かを判定する（ステップＳ６）。
【００５０】
その結果、リモコン受光部６が受信したリモコンコードは外部機器リモコン５（ＡＶアンプ用リモコン）用のリモコンコードに該当するので、リモコンコード判定部９は、この外部機器リモコン５（ＡＶアンプ用リモコン）用のリモコンコードから入力経路を求める（ステップＳ７）。ここでは、外部機器リモコン５（ＡＶアンプ用リモコン）の「メニュー」ボタンが押されたので、上述したように、入力経路は「INPUT2」となる。
【００５１】
次いで、リモコンコード判定部９は、入力切替時の表示モードを決める（ステップＳ８）。ここでは、外部機器リモコン５（ＡＶアンプ用リモコン）の「メニュー」ボタンが押されたので、上述したように、表示モードは「子画面表示」となる。
【００５２】
最後に、リモコンコード判定部９は、ユーザＩ／Ｆ操作部７に入力切替要求信号を送信する（ステップＳ９）。これを受けてユーザＩ／Ｆ操作部７は、Ａ／Ｖ入力選択部１２に対して入力切替を指令する。すると、Ａ／Ｖ入力選択部１２は、テレビジョン受像機２の入力をＡＶアンプ４２用の外部入力に切り替える。その結果、第２の外部入力端子「INPUT2」が有効になるので、ディスプレイ１６の表示は、テレビ映像に音場設定用の子画面が重なった画像に切り替わる。
【００５３】
ここで、リモコンコード判定プログラムＰＲＧに基づくリモコンコードの判定処理が終了する。
【００５４】
このように、ユーザが外部機器リモコン５（ＡＶアンプ用リモコン）の「メニュー」ボタンを押すと、テレビジョン受像機２の入力がＡＶアンプ４２用の外部入力に切り替わるので、ユーザはテレビ放送の画面に重ねて子画面でＡＶアンプ４２の音場設定を行うことができる（ステップＡＳ７）。このとき、わざわざＴＶリモコン３を操作して入力切替動作を行う必要がないので、ユーザの操作手順が簡単になり、ユーザビリティーが向上する。
【００５５】
また、ＡＶアンプ４２の音場設定を終了するときには、ユーザは、外部機器リモコン５（ＡＶアンプ用リモコン）の「メニュー」ボタンを押す（ステップＡＳ８）。すると、これに連動して、テレビジョン受像機２の入力がテレビ放送用の内部入力に切り替わる（ステップＡＳ９）。
【００５６】
すなわち、外部機器リモコン５（ＡＶアンプ用リモコン）の「メニュー」ボタンが押されると、テレビジョン受像機２のＣＰＵ８は、リモコンコード判定部９に対してリモコンコードの判定処理を指令する。これを受けてリモコンコード判定部９は、以下に述べるとおり、図１２に示すリモコンコード判定プログラムＰＲＧに基づき、リモコンコードの判定処理を実行する。
【００５７】
まず、外部機器リモコン５（ＡＶアンプ用リモコン）から送信されたリモコンコードをリモコン受光部６が受信すると（ステップＳ１）、リモコンコード判定部９は、ＴＶリモコン３用のリモコンコードをリモコンコード記憶部１０から読み出した後、リモコン受光部６が受信したリモコンコードをこのＴＶリモコン３用のリモコンコードと比較し（ステップＳ２）、リモコン受光部６が受信したリモコンコードがＴＶリモコン３用のリモコンコードに該当するか否かを判定する（ステップＳ３）。
【００５８】
ここでは、リモコン受光部６が受信したリモコンコードはＴＶリモコン３用のリモコンコードに該当しないため、リモコンコード判定部９は、外部機器リモコン５（ＡＶアンプ用リモコン）用のリモコンコードをリモコンコード記憶部１０から読み出した後、リモコン受光部６が受信したリモコンコードをこの外部機器リモコン５（ＡＶアンプ用リモコン）用のリモコンコードと比較し（ステップＳ５）、リモコン受光部６が受信したリモコンコードが外部機器リモコン５（ＡＶアンプ用リモコン）用のリモコンコードに該当するか否かを判定する（ステップＳ６）。
【００５９】
その結果、リモコン受光部６が受信したリモコンコードは外部機器リモコン５（ＡＶアンプ用リモコン）用のリモコンコードに該当するので、リモコンコード判定部９は、この外部機器リモコン５（ＡＶアンプ用リモコン）用のリモコンコードから入力経路を求める（ステップＳ７）。ここでは、外部機器リモコン５（ＡＶアンプ用リモコン）の「メニュー」ボタンが押されたので、上述したように、入力経路は「内部入力」となる。
【００６０】
次いで、リモコンコード判定部９は、入力切替時の表示モードを決める（ステップＳ８）。ここでは、外部機器リモコン５（ＡＶアンプ用リモコン）の「メニュー」ボタンが押されたので、表示モードは「子画面表示」のままとなる。
【００６１】
最後に、リモコンコード判定部９は、ユーザＩ／Ｆ操作部７に入力切替要求信号を送信する（ステップＳ９）。これを受けてユーザＩ／Ｆ操作部７は、Ａ／Ｖ入力選択部１２に対して入力切替を指令する。すると、Ａ／Ｖ入力選択部１２は、テレビジョン受像機２の入力を内部入力（テレビ入力）に戻す。その結果、内部入力が有効になるので、ディスプレイ１６の表示がテレビ映像に戻る。
【００６２】
ここで、リモコンコード判定プログラムＰＲＧに基づくリモコンコードの判定処理が終了する。
【００６３】
このように、ユーザが外部機器リモコン５（ＡＶアンプ用リモコン）の「メニュー」ボタンを押すと、テレビジョン受像機２の入力がテレビ放送用の内部入力に切り替わり、音場設定用の子画面が消えるので、ユーザはテレビジョン受像機２でテレビ放送番組を全画面で視聴することができる（ステップＡＳ１０）。このときも、わざわざＴＶリモコン３を操作して入力切替動作を行う必要がないので、ユーザの操作手順が簡単になり、ユーザビリティーが向上する。
【００６４】
なお、上述の実施形態においては、表示装置としてテレビジョン受像機２を具備するＡＶシステム１について説明したが、テレビジョン受像機２以外の表示装置（例えば、パーソナルコンピュータ用モニター、プロジェクターシステム、テレビ会議システム用モニター、カーナビゲーションシステム用モニターなど）を備えたＡＶシステム１に本発明を同様に適用することもできる。
【００６５】
なお、上述の実施形態においては、外部機器４としてＤＶＤプレーヤ４１やＡＶアンプ４２を例示した場合について説明したが、その他の外部機器４（例えば、ＨＤＤビデオレコーダ、ＶＴＲ（ビデオテープレコーダ）、パーソナルコンピュータ、デジタルカメラ、カムコーダ、衛星放送チューナＳＴＢ（セットトップボックス）、ＣＡＴＶ（ケーブルテレビ）放送チューナＳＴＢ、インターネット端末ＳＴＢ、家庭用ゲーム機など）を代用することも可能である。
【００６６】
また、テレビジョン受像機２の外部入力端子に接続された外部機器４が別の外部機器４（例えば、ＨＤＤビデオレコーダなど）に変更された場合、新たに接続された外部機器４についても、その外部機器リモコン５の「再生」ボタンを押すと、テレビジョン受像機２の入力が外部入力に切り替わる。したがって、外部機器４が変更されても依然としてユーザビリティーの高さを維持することができる。
【図面の簡単な説明】
【００６７】
【図１】本発明に係るＡＶシステムの一実施形態を示すブロック図である。
【図２】ＤＶＤプレーヤの接続状態を示す模式図である。
【図３】リモコンキーラベル画面を示す図である。
【図４】リモコンキー登録画面を示す図である。
【図５】リモコンキー登録画面を示す図である。
【図６】表示モード設定画面を示す図である。
【図７】リモコンキーラベル画面を示す図である。
【図８】リモコンキー登録画面を示す図である。
【図９】リモコンキー登録画面を示す図である。
【図１０】登録確認画面を示す図である。
【図１１】ＤＶＤプレーヤの操作フローを示す図である。
【図１２】リモコンコード判定プログラムを示すフローチャートである。
【図１３】ＡＶアンプの接続状態を示す模式図である。
【図１４】リモコンキーラベル画面を示す図である。
【図１５】リモコンキー登録画面を示す図である。
【図１６】リモコンキー登録画面を示す図である。
【図１７】表示モード設定画面を示す図である。
【図１８】リモコンキーラベル画面を示す図である。
【図１９】リモコンキー登録画面を示す図である。
【図２０】リモコンキー登録画面を示す図である。
【図２１】登録確認画面を示す図である。
【図２２】ＡＶアンプの操作フローを示す図である。
【符号の説明】
【００６８】
１……ＡＶシステム
２……テレビジョン受像機（表示装置）
３……ＴＶリモコン
４……外部機器
５……外部機器リモコン
６……リモコン受光部（リモコンコード受信手段）
７……ユーザＩ／Ｆ操作部
８……ＣＰＵ（制御手段）
９……リモコンコード判定部（リモコンコード判定手段）
１０……リモコンコード記憶部（リモコンコード記憶手段）
１１……ＴＶチューナ制御部
１２……Ａ／Ｖ入力選択部（入力戻し手段）
１４……入力切替装置
１５……Ａ／Ｖ出力制御部（登録確認手段）
１６……ディスプレイ
１７、４３……スピーカ
４１……ＤＶＤプレーヤ（外部機器）
４２……ＡＶアンプ（外部機器）
【図１】
2008104035.tif 000003
【図２】
2008104035.tif 000004
【図３】
2008104035.tif 000005
【図４】
2008104035.tif 000006
【図５】
2008104035.tif 000007
【図６】
2008104035.tif 000008
【図７】
2008104035.tif 000009
【図８】
2008104035.tif 000010
【図９】
2008104035.tif 000011
【図１０】
2008104035.tif 000012
【図１１】
2008104035.tif 000013
【図１２】
2008104035.tif 000014
【図１３】
2008104035.tif 000015
【図１４】
2008104035.tif 000016
【図１５】
2008104035.tif 000017
【図１６】
2008104035.tif 000018
【図１７】
2008104035.tif 000019
【図１８】
2008104035.tif 000020
【図１９】
2008104035.tif 000021
【図２０】
2008104035.tif 000022
【図２１】
2008104035.tif 000023
【図２２】
2008104035.tif 000024